(57)【要約】【課題】表表紙部、裏表紙部及び背表紙部を連続的に有する表紙本体と、背表紙部の幅方向へ延びるように形成したスリットに挿入して起立姿勢で支持され紙葉類を係合させて綴じる盤状の綴じ具とを有するファイルについて、簡素な構成でありながら背表紙部のリングに対する安定した保持状態を維持できるようなものを提供する。【解決手段】ファイル１に、背表紙部２３をその高さ方向に沿って表表紙部２１及び裏表紙部２２の内面２１ａ、２２ａ側へ凸形状となるように変形させた状態を保持する保持手段４を設けた。【選択図】図２
2004025641.tif 000002
【特許請求の範囲】
【請求項１】
表表紙部、裏表紙部及び背表紙部を連続的に有する表紙本体と、背表紙部の幅方向へ延びるように形成したスリットに挿入して起立姿勢で支持され紙葉類を係合させて綴じる盤状の綴じ具とを有するものであって、背表紙部をその高さ方向に沿って表表紙部及び裏表紙部の内面側へ凸形状となるように変形させた状態を保持する保持手段を具備していることを特徴とするファイル。
【請求項２】
前記保持手段が、表紙本体に取り付けられ該表紙本体とは別体をなす保持部材からなるものである請求項１記載のファイル。
【請求項３】
背表紙部の幅方向中央部に、該背表紙部の高さ方向に延びる折り曲げ線を形成し、この折り曲げ線に沿って背表紙部を表表紙部及び裏表紙部の内面側へ折り曲げ得るように構成し、背表紙部を山形に変形させた状態を前記保持部材によって保持するようにしている請求項２記載のファイル。
【請求項４】
保持部材が、シート状をなすものであり、この保持部材を、背表紙部を挟んで表表紙部及び裏表紙部の外面側に取り付けている請求項２又は３記載のファイル。
【請求項５】
保持部材が、シート状をなすものであり、この保持部材を、背表紙部の外面側に取り付けている請求項２又は３記載のファイル。
【請求項６】
保持部材が、背表紙部の外面側を覆う大きさを有するものであり、背表紙部と保持部材との間にポケット部を形成している請求項２、３、４又は５記載のファイル。
【請求項７】
保持部材の一部又は全部が、透明又は半透明である請求項６記載のファイル。
【請求項８】
ポケット部において保持部材の透明部又は半透明部と対応する部位に、紙葉類の表題などを表記した表示札を挿入し得るようにしている請求項７記載のファイル。
【発明の詳細な説明】
【０００１】
【発明の属する技術分野】
本発明は、盤状をなす綴じ具に紙葉類を綴じるようにしたファイルに関するものである。
【０００２】
【従来の技術】
従来より、紙葉類を綴じるためのファイルの一種として、表表紙部、裏表紙部、及び背表紙部を備えた表紙本体と、背表紙部に形成したスリットに例えば円盤状等の盤状をなす一又は複数の綴じ具たるリングとを備え、このリングの盤面に、紙葉類の綴じ側の縁部に形成した切り込みを差し込んで係合させるようにしたものが考えられている。
【０００３】
このようなファイルでは、リングの周縁部の肉厚をそれよりも内側の盤面部よりも厚くするとともに、背表紙部に形成したスリットの両側端部の開口をリングの肉厚に対応させ且つ両側端部間を盤面部に対応させて両側端部の開口よりも幅狭に開口させることで、このスリットに対してリングを起立姿勢で保持するように構成してある。ここでスリットの開口長さは、リングの直径よりも短く設定してあるので、リングはスリットに挟まった通常の状態よりも深く係合することはない。一方、紙葉類の側縁部には、反綴り側に向けて切り込みを形成するとともに、その切り込みの終端部にリングの周縁部の肉厚に対応させた開口を形成し、盤面部に切り込みを挿入することによって紙葉類を綴じるように構成している。そして、このようにリングを保持した背表紙部は、略全域が平らであるのが通例である。
【０００４】
【発明が解決しようとする課題】
ところが、このようなファイルにおいて背表紙部が平らであると、リングとスリットとの係合関係は略一直線状であり、しかもリングの下半部分がスリットに挿入させた状態にあるため、リングに対してその肉厚方向に外力が加わるとリングが容易に倒れてしまうという不具合が生じやすい。また、平面的な背表紙部は肉厚方向に撓みが生じ易いので、リングがスリットから簡単に抜け落ちてしまうという不具合も有している。
【０００５】
そこで本発明は、以上のような問題に鑑みて、上述のような構成のファイルにおいて、簡素な構成でありながら背表紙部のリングに対する安定した保持状態を維持できるようなものを提供することを主たる目的としている。
【０００６】
【課題を解決するための手段】
すなわち、本発明のファイルは、表表紙部、裏表紙部及び背表紙部を連続的に有する表紙本体と、背表紙部の幅方向へ延びるように形成したスリットに挿入して起立姿勢で支持され紙葉類を係合させて綴じる盤状の綴じ具とを有するものであって、背表紙部をその高さ方向に沿って表表紙部及び裏表紙部の内面側へ凸形状となるように変形させた状態を保持する保持手段を具備していることを特徴とするものである。
【０００７】
このような構成のファイルであれば、保持手段によって表表紙部及び裏表紙部の内面側に凸形状に保持された背表紙部のスリットに綴じ具が保持されることになる。すなわち、背表紙部と共に二次元的に変形されたスリットに綴じ具の盤面部が係合されるため、一次元的な直線状のスリットに綴じ具を保持する場合と比較して、綴じ具の肉厚方向への倒れを好適に防止することができる。また、二次元的に変形した状態を保持された背表紙部自体は、その肉厚方向への外力に対して強いものとなるため、綴じ具の抜け落ちも容易に防止することができるようになり、以上の結果、紙葉類の保持を確実に行い、且つ綴じ具の脱落も有効に防止できる使い勝手の優れたファイルを構成することが可能となる。
【０００８】
ここで、スリットの開口長さを綴じ具の最大径よりも短く設定しておくと綴じ具の脱落防止を確実なものとできるのは、従来通りである。
【０００９】
このように有用な保持手段は、表紙本体に取り付けられ該表紙本体とは別体をなす保持部材からなるものとすることで、背表紙部の変形を簡易に保持することができる。
【００１０】
背表紙部の凸形状を容易に形成するためには、背表紙部の幅方向中央部に、該背表紙部の高さ方向に延びる折り曲げ線を形成し、この折り曲げ線に沿って背表紙部を表表紙部及び裏表紙部の内面側へ折り曲げ得るように構成することが好ましく、この場合、背表紙部を山形に変形させた状態を前記保持部材によって保持することになる。なお、背表紙部の凸形状は、前記山形の他にも、例えば断面視アーチ形、台形状、「Ｍ」字形など、種々のものとすることができる。
【００１１】
簡素な構成の保持部材としては、背表紙部を挟んで表表紙部及び裏表紙部の外面側に取り付けるようにしたシート状をなす保持部材や、背表紙部の外面側に取り付けるようにしたシート状をなす保持部材を挙げることができる。
【００１２】
特に、表紙本体と保持部材とが別体である場合、背表紙部の外面側から見れば凹形状となった背表紙部と保持部材との間の空間に別途の機能を付与するには、保持部材を背表紙部の外面側を覆う大きさを有するものとして、背表紙部と保持部材との間にポケット部を形成するとよい。この場合、保持部材の一部又は全部が、透明又は半透明であると、ポケット部に収容した物を、保持部材を通じて視認可能とすることができる。すなわち、例えばポケット部において保持部材の透明部又は半透明部と対応する部位に、紙葉類の表題などを表記した表示札を挿入し得るようにすることで、凹形状をなした背表紙部の外側にも表題等を表すことが可能となる。
【００１３】
【発明の実施の形態】
以下、本発明の一実施形態を、図面を参照して説明する。
【００１４】
図１及び図２に示す本実施形態のファイル１は、表紙本体２と綴じ具たるリング３とを基本的構成要素として備え、図３に示すような紙葉類６をリング３に係合させて綴じるようにしたものである。以下、各部の具体的構成について説明する。
【００１５】
表紙本体２は、例えばＡ４，Ｂ５等の所定の規格及び紙葉類６の最大綴り枚数に対応して、表表紙部２１、裏表紙部２２、及び背表紙部２３を一体且つ連続的に形成した合成樹脂製シートからなるものである。図４にこの表紙本体２の展開図を内面側から見た状態で示すように、表表紙部２１と背表紙部２３との境界部分、及び裏表紙部２２と背表紙部２３との境界部分は、他の部位よりも若干薄肉としてヒンジ機能を設け、その部位で折り曲げ可能としている。また、背表紙部２３の幅方向中央部には、高さ方向に沿ってその周囲よりも若干薄肉とした一直線状の折り曲げ線２３ｚを設け、この折り曲げ線２３ｚに沿って背表紙部２３自体を表表紙部２１及び裏表紙部の内面２１ａ、２２ａ側へ山折りにできるようにしている。さらに、背表紙部２３には、この折り曲げ線２３ｚに跨って幅方向に延び厚み方向に貫通させた直線状のスリット２３ｓを、高さ方向へ所定ピッチで複数形成しており、各スリット２３ｓの両側端部２３ｓａを、スリット２３ｓの主要部の開口幅よりも大きい径で半円形状をなすように開口させている。なお、表紙本体２は、合成樹脂の他にも紙製シートや金属製シートから構成することができ、また、それぞれ別体のシート材からなる表表紙部、裏表紙部、背表紙部を連続的に接合したものとしてもよい。
【００１６】
リング３は、背表紙部２３に形成した各スリット２３ｓに挿入されるものであり、例えば合成樹脂一体成形により形成された円盤状をなし、その直径はスリット２３ｓの開口長さ寸法よりも若干大きくしてある。特にリング３の周縁部３１の肉厚は、図２、図３、及び図５に示すように、それよりも内側の閉じた盤面部３２の肉厚よりも若干大きく設定している。すなわち、盤面部３２の肉厚寸法は、スリット２３ｓの開口幅寸法に略対応し、また周縁部３１の肉厚はスリット２３ｓの開口幅よりも大きく且つ両側端部２３ｓａの開口よりも若干小さい。なお、盤面部３２の略中心部には丸い貫通孔が形成されているが、これは部材の軽量化や素材の少量化のためのものである。
【００１７】
そして、図６（ａ）に示すように、リング３を背表紙部２３の内面２３ａ側からスリット２３ｓに挿入すると、リング３の周縁部３１の一部がスリット２３ｓの両側端部２３ｓａを通過した位置で、スリット２３ｓの間にリング３の盤面部３２が挟まれて起立した姿勢でリング３が当該スリット２３ｓに係合する。その状態からさらに、同図（ｂ）に示すように、背表紙部２３を折り曲げ線２３ｚに沿って内面２３ａ側へ凸形状すなわち山形に折り曲げて変形したうえで、その変形させた背表紙部２３の形状を保持する保持手段としての機能を有する保持部材４によって維持するようにしている。そしてこのように内側へ凸となった背表紙部２３の形状は、同図（ｃ）に示すように、表表紙部２１及び裏表紙部２２又はそれらの何れか一方を、背表紙部２３に対して折り曲げた場合にも変わることなく維持される。
【００１８】
ここで保持部材４は、透明又は半透明の合成樹脂製シート材からなるものであり、表紙本体２の外面側、具体的には背表紙２３に跨って表表紙部２１と裏表紙部２２の外面２１ｂ、２２ｂに取り付けられる。この保持部材４は、背表紙部２３よりも幅広な長方形シート状をなすものであり、長手方向に沿った両側端部４１を、表表紙部２１及び裏表紙部２２のそれぞれ背表紙部２３と連続する端部に溶着等の接着又はリベットを用いる等の適宜の手段により取り付けている。したがって、図１、図２及び図６（ｂ）、（ｃ）に示すように、背表紙部２３の外面２３ｂと保持部材４の内面４ａとの間には、断面視概略二等辺三角形状をなす空間が、背表紙部２３の高さ方向に連続的に形成されることになり、この空間を本実施形態ではポケット部Ｐとしている。そして、このポケット部Ｐには、図１に示すように、綴じ込んだ紙葉類６の表題等を記した例えば長方形状の紙や樹脂製等の表示札５を挿入することで、保持部材４に保持的な背表紙としての機能を発揮させるとともに、透明又は半透明の保持部材４を通じてポケット部Ｐ内の表示札５の表記が外部から視認し得るようにしている。なお、表示札５は、適宜の手段によってポケット部Ｐ内で保持される用にしておくとよいが、そのためには例えば、表示札５を保持部材４の内面側に貼り付ける方法、表示札５の側縁部を表表紙部２１及び裏表紙部２２と保持部材４の側縁部４１との間に挟み込む方法、表表紙部２１及び裏表紙部２２へ保持部材４と同時に取り付ける方法などを採用することができる。
【００１９】
ここで、紙葉類６のファイル１への綴り方について簡単に説明する。図３に示すように、紙葉類６の綴り側の縁部６ａに沿ってその縁部６ａから反綴り側の縁部へ向けて短い切り込み６１をリング３と略同一のピッチで形成しておくとともに、その切り込み６１の終端部６１ａを前記スリット２３ｓの端部２３ｓａと同様に概略半円弧状に開口しておく。そして、紙葉類６の綴り側の縁部６ａを撓ませるようにして切り込み６１を開きながらリング３に斜め上方から引っ掛けると、切り込み６１がリング３の盤面部３２と係合するとともに、切り込み６１の終端部６１ａが周縁部３１と係合する。この状態では、紙葉類６を半綴り方向へ引っ張っても、切り込み６１の終端部６１ａがリング３の周縁部３１と係合しているためリング３から外れることはないが、上述した綴り方と逆の操作すなわち紙葉類６の綴り側の縁部６ａを捲るようにすると、紙葉類６をリング３から簡単に外すことができる。なお、紙葉類６としては、用紙類や、内部に用紙類等を収容できる袋体等を適用することができる。
【００２０】
以上のように、本実施形態のファイル１によれば、背表紙部２３を内側へ凸形状である山形をなすように変形させた状態を、表紙本体２とは別体の保持部材４によって恒常的に維持するようにしているため、背表紙部２３のスリット２３ｓに起立姿勢で挿入したリング３を極めて安定的に保持することができる。すなわち、リング３の盤面部３２が二次元的に折り曲げられたスリット２３ｓ内に挟まれた状態にあり、リング３の周縁部３１がスリット２３ｓの両側端部２３ｓａに嵌まった状態にあるため、リング３の肉厚方向への倒れをスリット２３ｓによって防止できる。さらに、背表紙２３自体も角度がついて撓みにくい形状となっていることから、リング３の抜け落ちも確実に防止することができる。したがって、リング３を表紙本体２上に安定させるとともに、紙葉類６をもリング３に安定して綴じ込むことができる、極めて使い勝手の優れたファイル１とすることが可能である。また、内面側へ山形に変形させた背表紙部２３と、背表紙部２３を跨いで表表紙部２１及び裏表紙部２２に固定した保持部材４との間に形成されるポケット部Ｐを利用して、そのポケット部Ｐ内に表示札５を挿入可能とし、透明又は半透明の保持部材４を通じて表示札５の表記を外方から視認できるようにしているため、外部から見える位置にある保持部材４を背表紙部の代用として、従来のファイルと同様の使い方をすることができる。
【００２１】
なお、上記実施形態では、変形させた背表紙部の形状を内面側に凸となる山形をなすものとしたが、これに限らず例えば図７に示す変形例のように、背表紙部２３の幅方向中央部における折り曲げ線２３ｚに加えてその両側方にもさらに折り曲げ線２３ｙを形成し、背表紙部２３の両側端部側が折り曲げた表表紙部２１及び裏表紙部２２と略直角となるようにしてもよい。この場合、折り曲げ線２３ｚ上の任意の部位を頂点として内面側に凸となる断面視三角形状に背表紙部２３が変形されるが、保持部材１４０は、その内面側を背表紙部２３の外面２３ｂにおける両側端部に外方から取り付けられることになる。そして、この変形例の場合にも、背表紙部２３と保持部材１４０との間には、表示札等を挿入し得るポケット部Ｐ’が形成されることになる。また、この変形例以外にも、背表紙部２３を内面側にアーチ形や台形状等の適宜の形状に変形させ、その形状を保持部材によって保持するようにすることができる。
【００２２】
さらに、背表紙部の変形させた形状を保持する保持手段としては、上述した一枚のシート状の保持部材以外にも、複数枚のシート状の保持部材を間欠的に表し本体に取り付けるようにしたものや、紐状をなす保持部材を表紙本体に取り付けるようにしたものなど、適宜のものを採用することができ、さらにいえば、表紙本体の一部を舌片状に切りあける等してそれを保持手段として利用することもできる。その他、綴じ具を円形以外の盤状をなすものとするなど、各部の具体的構成についても上記実施形態や変形例に限られるものではなく、本発明の趣旨を逸脱しない範囲で種々変形が可能である。
【００２３】
【発明の効果】
本発明は、以上に詳述したように、表紙本体の背表紙部を、表表紙部及び裏表紙部の内面側に凸形状をなすように変形させ、この変形した背表紙部の形状を保持手段によって保持するように構成したものであり、背表紙部に形成したスリットに盤状の綴じ具を係合させている。このため、盤状の綴じ具が背表紙部と共に凸形状に変形したスリットと二次元的に係合することになり、綴じ具の肉厚方向への倒れが適正に防止される。また、保持手段に保持された背表紙部が変形した形状から開くことがなく、背表紙部が平面的である場合と比べて、背表紙部自体の歪みや撓みに対する対抗力も大きくなるため、綴じ具がスリットから抜け落ちてしまうこともない。したがって、綴じ具に綴じ込んだ紙葉類を正確に捲ることができ、しかも紙葉類が簡単には脱落することがないという、極めて使用感の優れたファイルを提供することができる。また、保持手段と背表紙部との間に形成されるポケット部に表示札等を挿入すれば、従来のファイルと同様に、ファイルの背に表題等を表示することもできる。
【図面の簡単な説明】
【図１】本発明の一実施形態の閉じた状態を示す斜視図。
【図２】同実施形態の開いた状態を示す斜視図。
【図３】同実施形態の使用態様の一例を示す斜視図。
【図４】同実施形態に係る表紙本体を示す展開図。
【図５】同実施形態の開いた状態を示す平面図。
【図６】同実施形態を示す断面図。
【図７】同実施形態の一変形例を示す断面図。
【符号の説明】
１…ファイル
２…表紙本体
３…綴じ具（リング）
４…保持手段（保持部材）
５…表示札
６…紙葉類
２１…表表紙部
２１ａ…内面
２１ｂ…外面
２２…裏表紙部
２２ａ…内面
２２ｂ…外面
２３…背表紙部
２３ｂ…外面
２３ｓ…スリット
２３ｚ…折り曲げ線
Ｐ、Ｐ’…ポケット部
【図１】
2004025641.tif 000003
【図２】
2004025641.tif 000004
【図３】
2004025641.tif 000005
【図４】
2004025641.tif 000006
【図５】
2004025641.tif 000007
【図６】
2004025641.tif 000008
【図７】
2004025641.tif 000009